(57)【要約】【課題】電子機器の電源を投入することなく、電子機器の設定を変更可能とすること。【解決手段】ＡＶレシーバー１は、外部装置と通信するための信号ラインと、ＡＶレシーバー１の設定を記憶するＥＥＰＲＯＭ３と、を備える。信号ラインに含まれる電源ラインが、ＥＥＰＲＯＭ３に接続されている。信号ラインに含まれるＤＤＣラインが、ＥＥＰＲＯＭ３に接続されている。また、ＡＶレシーバー１は、コネクター１５と、信号を受信するための受信部１４と、をさらに備える。信号ラインは、コネクター１５と受信部１４とに接続されている。【選択図】図２
2020101952.tif 000002
【特許請求の範囲】
【請求項１】
外部装置と通信するための信号ラインと、
自機器の設定を記憶する記憶装置と、を備え、
前記信号ラインに含まれる電源ラインが、前記記憶装置に接続され、
前記信号ラインに含まれる通信ラインが、前記記憶装置に接続されていることを特徴とする電子機器。
【請求項２】
コネクターと、
信号を受信するための受信部と、をさらに備え、
前記信号ラインは、前記コネクターと前記受信部とに接続されていることを特徴とする請求項１に記載の電子機器。
【請求項３】
前記電源ラインと前記記憶装置とに接続され、電圧を安定させるためのリニアレギュレーター、及び、スイッチをさらに備えることを特徴とする請求項１又は２に記載の電子機器。
【請求項４】
前記通信ラインと前記記憶装置とに接続されたリピーターをさらに備えることを特徴とする請求項１〜３のいずれか１項に記載の電子機器。
【請求項５】
前記信号ラインは、ＨＤＭＩ（登録商標）規格に対応していることを特徴とする請求項１〜４のいずれか１項に記載の電子機器。
【請求項６】
前記通信ラインは、ＤＤＣラインであることを特徴とする請求項１〜５のいずれか１項に記載の電子機器。
【請求項７】
前記通信ラインは、Ｉ２Ｃに対応していることを特徴とする請求項１〜６のいずれか１項に記載の電子機器。
【請求項８】
請求項１〜７のいずれか１項に記載された電子機器の設定変更方法であって、
前記電源ラインに、電源電圧を供給し、
前記信号ラインに、前記記憶装置の設定を書き換えるための信号を入力することを特徴とする電子機器の設定方法。
【発明の詳細な説明】
【技術分野】
【０００１】
本発明は、自機器の設定を記憶する記憶装置を備える電子機器に関する。
【背景技術】
【０００２】
ＡＶレシーバー等の電子機器は、多数の国で販売される場合、各国で望ましい仕様が異なるため、国に応じて作り分けが行われている。しかし、販売台数は、販売国によって大きく異なり、少量しか望めない国のために、専用のモデルを作ることは、製造及び在庫管理上難しい。
【０００３】
現状、一般的に、仕様を多様化するために、ハードウェアとしては、同じものを作り、内部のソフトウェアの設定を販売国によって変更している。これにより、管理費を抑えながら、品種を増やすことが可能となる。ソフトウェア（電子機器）の設定を記憶する記憶装置として、例えば、不揮発性メモリであるＥＥＰＲＯＭ（Electrically Erasable Programmable Read-Only Memory）が用いられている（例えば、特許文献１参照。）。
【先行技術文献】
【特許文献】
【０００４】
【特許文献１】特開２０１５−１２１８３９号公報
【発明の概要】
【発明が解決しようとする課題】
【０００５】
しかしながら、電子機器の設定を変更する場合、電子機器の電源を投入した後、特殊な操作をする必要があるという問題がある。
【０００６】
本発明の目的は、電子機器の電源を投入することなく、電子機器の設定を変更可能とすることである。
【課題を解決するための手段】
【０００７】
第１の発明の電子機器は、外部装置と通信するための信号ラインと、自機器の設定を記憶する記憶装置と、を備え、前記信号ラインに含まれる電源ラインが、前記記憶装置に接続され、前記信号ラインに含まれる通信ラインが、前記記憶装置に接続されていることを特徴とする。
【０００８】
本発明では、電源ラインは、記憶装置に接続されている。これにより、外部から、記憶装置に電源電圧を供給することができる。また、通信ラインは、記憶装置に接続されている。これにより、外部から、記憶装置の設定を書き込むことができる。このように、本発明によれば、電子機器の電源を投入することなく、電子機器の設定を変更することができる。
【０００９】
第２の発明の電子機器は、第１の発明の電子機器において、コネクターと、信号を受信するための受信部と、をさらに備え、前記信号ラインは、前記コネクターと前記受信部とに接続されていることを特徴とする。
【００１０】
第３の発明の電子機器は、第１又は第２の発明の電子機器において、前記電源ラインと前記記憶装置とに接続され、電圧を安定させるためのリニアレギュレーター、及び、スイッチをさらに備えることを特徴とする。
【００１１】
第４の発明の電子機器は、第１〜第３のいずれかの発明の電子機器において、前記通信ラインと前記記憶装置とに接続されたリピーターをさらに備えることを特徴とする。
【００１２】
第５の発明の電子機器は、第１〜第４のいずれかの発明の電子機器において、前記信号ラインは、ＨＤＭＩ（登録商標）規格に対応していることを特徴とする。
【００１３】
第６の発明の電子機器は、第１〜第５のいずれかの発明の電子機器において、前記通信ラインは、ＤＤＣラインであることを特徴とする。
【００１４】
第７の発明の電子機器は、第１〜第６のいずれかの発明の電子機器において、前記通信ラインは、Ｉ２Ｃに対応していることを特徴とする。
【００１５】
第８の発明の電子機器の設定方法は、第１〜第７のいずれかの発明の電子機器の設定方法であって、前記電源ラインに、電源電圧を供給し、前記信号ラインに、前記記憶装置の設定を書き換えるための信号を入力することを特徴とする。
【発明の効果】
【００１６】
本発明によれば、電子機器の電源を投入することなく、電子機器の設定を変更することができる。
【図面の簡単な説明】
【００１７】
【図１】本発明の実施形態に係るＡＶレシーバーの構成を示すブロック図である。
【図２】ＥＥＰＲＯＭ、及び、その周辺回路を示す図である。
【発明を実施するための形態】
【００１８】
以下、本発明の実施形態について説明する。図１は、本実施形態に係るＡＶレシーバーの構成を示すブロック図である。ＡＶレシーバー１（電子機器）は、例えば、ＣＤプレーヤー１００から出力された音声信号に、増幅等の音声処理を行って、スピーカー２００等に出力する。
【００１９】
図１に示すように、ＡＶレシーバー１は、マイクロコンピューター２、ＥＥＰＲＯＭ３、表示部４、操作部５、デジタル信号入力端子６、ＤＩＲ（Digital Interface Receiver）７、ＤＳＰ（Digital Signal Processor）８、Ｄ／Ａコンバーター（以下、「ＤＡＣ」という。）９、ボリューム調整部１０、増幅器１１、スピーカー端子１２、無線モジュール１３を備える。
【００２０】
マイクロコンピューター２は、ＣＰＵ（Central Processing Unit）、ＲＯＭ（Read Only Memory）、ＲＡＭ（Random Access Memory）等のハードウェアから構成されている。ＣＰＵは、ＲＯＭに記憶されたプログラムに従って、ＡＶレシーバー１を構成する各部を制御する。ＲＡＭは、ＣＰＵの主メモリとして機能する。ＲＯＭは、プログラムを記憶する。ＥＥＰＲＯＭ３（記憶装置）は、ＡＶレシーバー１の設定（例えば、後述する無線モジュール１３のＷｉ−Ｆｉ設定等）を記憶している。
【００２１】
表示部４は、設定画面等を表示するものであり、ＬＣＤ（液晶ディスプレイ）や蛍光表示管等である。操作部５は、ユーザー操作を受け付けるためのものであり、ＡＶレシーバー１の筐体に設けられた操作ボタンやリモートコントローラーである。ユーザーは、操作部５を操作することにより、例えば、音声信号のボリューム値を指示することができる。
【００２２】
デジタル信号入力端子６には、ＣＤプレーヤー１００が接続されている。デジタル信号入力端子６には、ＣＤプレーヤー１００からＳＰＤＩＦ信号が入力される。ＤＩＲ７は、ＣＤプレーヤー１００から入力されるＳＰＤＩＦ信号を、Ｉ２Ｓ信号に変換する。変換されたＩ２Ｓ信号は、ＤＳＰ８に出力される。ＤＳＰ８は、Ｉ２Ｓ信号に、イコライザー処理等のデジタル信号処理を行う。デジタル信号処理が行われたＩ２Ｓ信号は、ＤＡＣ９に出力される。ＤＡＣ９は、Ｉ２Ｓ信号をアナログ音声信号にＤ／Ａ変換する。Ｄ／Ａ変換されたアナログ音声信号は、ボリューム調整部１０に出力される。
【００２３】
ボリューム調整部１０は、アナログ音声信号のボリューム値を調整する。ボリューム値が調整されたアナログ音声信号は、増幅器１１に出力される。増幅器１１は、ボリューム値が調整されたアナログ音声信号を増幅する。増幅されたアナログ音声信号は、スピーカー端子１２に出力される。スピーカー端子１２には、スピーカー２００が接続されている。スピーカー２００は、アナログ音声信号に基づいて、音声を出力する。無線モジュール１３は、Ｗｉ−Ｆｉ規格に従った無線通信を行うためのものである。
【００２４】
図２は、ＥＥＰＲＯＭ３、及び、その周辺回路を示す図である。図２に示すように、ＡＶレシーバー１は、さらに、受信部１４、コネクター１５、LDO / SW１６、リピーター１７を備える。コネクター１５は、HDMI（登録商標）規格に対応したコネクターである。受信部１４は、外部装置から、HDMI（登録商標）規格に対応した信号を受信するためのＩＣである。受信部１４とコネクター１５とは、信号ライン、すなわち、電源ライン（＋５Ｖ）、ＤＤＣライン（Ｉ２Ｃ）（通信ライン）、ＴＭＤＳライン（その他）で接続されている。LDO / SW１６は、治具３０１から供給される電圧を一定化するためのリニアレギュレーター、及び、スイッチである。LDO / SW１６は、電源ラインに接続されている。また、LDO / SW１６は、ＥＥＰＲＯＭ３に接続されている。従って、ＥＥＰＲＯＭ３は、LDO / SW１６を介して、電源ラインに接続されている。また、LDO / SW１６は、リピーター１７に接続されている。リピーター１７は、Ｉ２Ｃバスリピーターである。リピーター１７は、ＤＤＣラインに接続されている。また、リピーター１７は、ＥＥＰＲＯＭ３に接続されている。従って、ＥＥＰＲＯＭ３は、リピーター１７を介して、ＤＤＣラインに接続されている。LDO / SW１６からの電圧は、ＥＥＰＲＯＭ３、リピーター１７、マイクロコンピューター２に供給される。なお、LDO / SW１６、及び、リピーター１７は、必須の構成ではなく、ＡＶレシーバー１に設けられていなくてもよい。
【００２５】
上述のように、HDMI（登録商標）の信号には、ビデオ等のメインとなる信号を伝送するＴＭＤＳラインの他に、数種類の通信ラインが用意されている。その中には、対応するビデオフォーマット情報等をやり取りするＤＤＣラインがある。これに使用されている通信方式は、一般的なＥＥＰＲＯＭでも使用されているＩ２Ｃである。この通信ライン（ＤＤＣライン）は、マイクロコンピューター２の内部設定が保存されているＥＥＰＲＯＭ３に接続されている。これにより、ＡＶレシーバー１外部から容易にＥＥＰＲＯＭ３にアクセスし、設定を変更することが可能となる。
【００２６】
治具３０１は、マイクロコンピューター３０２、コネクター３０３、５Ｖの電源３０４等を備える。コネクター３０３は、HDMI（登録商標）規格に対応したコネクターである。コネクター３０３は、ＡＶレシーバー１のコネクター１５と接続される。＋５Ｖの電源３０４から、ＡＶレシーバー１の電源ラインに電源電圧が供給される。マイクロコンピューター３０２は、ＤＤＣラインに、ＥＥＰＲＯＭ３の設定を書き換えるための信号を入力する。
【００２７】
以上説明したように、本実施形態では、電源ラインは、ＥＥＰＲＯＭ３に接続されている。これにより、外部から、ＥＥＰＲＯＭ３に電源電圧を供給することができる。また、ＤＤＣライン（通信ライン）は、ＥＥＰＲＯＭに接続されている。これにより、外部から、ＥＥＰＲＯＭ３の設定を書き込むことができる。このように、本実施形態によれば、ＡＶレシーバー１の電源を投入することなく、ＡＶレシーバー１の設定を変更することができる。
【００２８】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００２９】
上述の実施形態においては、電子機器として、ＡＶレシーバー１を例示した。これに限らず、自機器の設定を記憶する記憶装置（上述の実施形態では、ＥＥＰＲＯＭ３）を備える電子機器であれば、無線ＬＡＮアクセスポイント、デジタルオーディオプレーヤー、スマートフォン、携帯電話等であってもよい。
【産業上の利用可能性】
【００３０】
本発明は、自機器の設定を記憶する記憶装置を備える電子機器、及び、電子機器の設定方法に好適に採用され得る。
【符号の説明】
【００３１】
１  ＡＶレシーバー（電子機器）
２  マイクロコンピューター
３  ＥＥＰＲＯＭ（記憶装置）
１４  受信部
１５  コネクター
【図１】
2020101952.tif 000003
【図２】
2020101952.tif 000004